【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
１つまたは複数の復号エラーを含むアグリゲートされたデータフレームの受信を確認するための方法であって、前記方法は、ワイヤレスデバイスによって実行され、
ワイヤレスチャネルを介して他のデバイスから受信された前記アグリゲートされたデータフレームの送信持続時間を決定することと、
前記送信持続時間に少なくとも部分的に基づいて、拡張フレーム間スペース（ＥＩＦＳ）持続時間または分散協調機能（ＤＣＦ）フレーム間スペース（ＤＩＦＳ）持続時間のいずれかとして選択された時間期間の間、前記チャネルへのアクセスを延期することと、
を備え、
前記時間期間は、前記送信持続時間が指定された持続時間よりも小さいかまたはそれに等しいとき、前記ＥＩＦＳ持続時間として選択され、
前記時間期間は、前記送信持続時間が前記指定された持続時間よりも大きいとき、前記ＤＩＦＳ持続時間として選択される、方法。
【請求項２】
前記送信持続時間は、前記アグリゲートされたデータフレームを前記ワイヤレスデバイスに送信するために使用されるデータシンボルの数を使用して決定される、請求項１に記載の方法。
【請求項３】
前記時間期間は、データシンボルの前記数が指定された数よりも小さいかまたはそれに等しいとき、前記ＥＩＦＳ持続時間として選択され、
前記時間期間は、データシンボルの前記数が前記指定された数よりも大きいとき、前記ＤＩＦＳ持続時間として選択される、
請求項２に記載の方法。
【請求項４】
前記時間期間の後に前記他のデバイスにブロック確認応答フレームを送信することと、
前記ブロック確認応答フレームを送信した後に開始されたショートフレーム間スペース（ＳＩＦＳ）持続時間の後に、前記他のデバイスに単一の確認応答フレームを送信することと、
をさらに備える、請求項１に記載の方法。
【請求項５】
前記単一の確認応答フレームは、基本送信レートで送信され、前記チャネルへのアクセスを前記ＥＩＦＳ持続時間だけ延期することを控えるように近くのワイヤレスデバイスに指示する、請求項４に記載の方法。
【請求項６】
１つまたは複数の復号エラーを含むアグリゲートされたデータフレームの受信を確認するためのワイヤレスデバイスであって、前記ワイヤレスデバイスは、
ワイヤレスチャネルを介して他のデバイスから受信された前記アグリゲートされたデータフレームの送信持続時間を決定するための手段と、
前記送信持続時間に少なくとも部分的に基づいて、拡張フレーム間スペース（ＥＩＦＳ）持続時間または分散協調機能（ＤＣＦ）フレーム間スペース（ＤＩＦＳ）持続時間のいずれかとして選択された時間期間の間、前記チャネルへのアクセスを延期するための手段と、
を備え、
前記時間期間は、前記送信持続時間が指定された持続時間よりも小さいかまたはそれに等しいとき、前記ＥＩＦＳ持続時間として選択され、
前記時間期間は、前記送信持続時間が前記指定された持続時間よりも大きいとき、前記ＤＩＦＳ持続時間として選択される、ワイヤレスデバイス。
【請求項７】
前記送信持続時間は、前記アグリゲートされたデータフレームを前記ワイヤレスデバイスに送信するために使用されるデータシンボルの数を使用して決定される、請求項６に記載のワイヤレスデバイス。
【請求項８】
前記時間期間は、データシンボルの前記数が指定された数よりも小さいかまたはそれに等しいとき、前記ＥＩＦＳ持続時間として選択され、
前記時間期間は、データシンボルの前記数が前記指定された数よりも大きいとき、前記ＤＩＦＳ持続時間として選択される、
請求項７に記載のワイヤレスデバイス。
【請求項９】
前記時間期間の後に前記他のデバイスにブロック確認応答フレームを送信するための手段と、
前記ブロック確認応答フレームを送信した後に開始されたショートフレーム間スペース（ＳＩＦＳ）持続時間の後に、前記他のデバイスに単一の確認応答フレームを送信するための手段と、
をさらに備える、請求項６に記載のワイヤレスデバイス。
【請求項１０】
前記単一の確認応答フレームは、基本送信レートで送信され、前記チャネルへのアクセスを前記ＥＩＦＳ持続時間だけ延期することを控えるように近くのワイヤレスデバイスに指示する、請求項９に記載のワイヤレスデバイス。
【請求項１１】
ワイヤレスデバイスのプロセッサによって実行されたとき、前記ワイヤレスデバイスに、請求項１乃至５のいずれか一項に記載の方法を実行させるプログラム命令を含む非一時的コンピュータ可読媒体。
【手続補正２】
【補正対象書類名】明細書
【補正対象項目名】００９３
【補正方法】変更
【補正の内容】
【００９３】
[0092]上記の明細書では、実施形態について、それの特定の例示的な実施形態を参照しながら説明した。しかしながら、添付の特許請求の範囲に記載された本開示のより広い範囲から逸脱することなく、様々な改変および変更がそれに行われ得ることは明らかであろう。したがって、本明細書および図面は、限定的な意味ではなく例示的な意味で考慮されるべきである。
以下に本願の出願当初の特許請求の範囲に記載された発明を付記する。
［Ｃ１］
１つまたは複数の復号エラーを含むアグリゲートされたデータの受信を確認するための方法であって、前記方法は、ワイヤレスデバイスによって実行され、
ワイヤレスチャネルを介して他のデバイスから受信されたアグリゲートされたデータフレームの送信持続時間を決定することと、
前記送信持続時間に少なくとも部分的に基づいて、拡張フレーム間スペース（ＥＩＦＳ）持続時間または分散協調機能（ＤＣＦ）フレーム間スペース（ＤＩＦＳ）持続時間のいずれかとして選択された時間期間の間、前記チャネルへのアクセスを延期することと、
を備える、方法。
［Ｃ２］
前記時間期間は、前記送信持続時間が指定された持続時間よりも小さいかまたはそれに等しいとき、前記ＥＩＦＳ持続時間として選択され、
前記時間期間は、前記送信持続時間が前記指定された持続時間よりも大きいとき、前記ＤＩＦＳ持続時間として選択される、
Ｃ１に記載の方法。
［Ｃ３］
前記延期することは、
前記送信持続時間が指定された持続時間よりも小さいかまたはそれに等しいとき、前記ワイヤレスデバイスが前記ＥＩＦＳ持続時間を選択することを防ぐことと、
前記送信持続時間が前記指定された持続時間よりも大きいとき、前記ワイヤレスデバイスが前記ＥＩＦＳ持続時間を選択することを可能にすることと、
を備える、Ｃ１に記載の方法。
［Ｃ４］
前記送信持続時間は、前記アグリゲートされたデータフレームを前記ワイヤレスデバイスに送信するために使用されるデータシンボルの数を使用して決定される、Ｃ１に記載の方法。
［Ｃ５］
前記時間期間は、データシンボルの前記数が指定された数よりも小さいかまたはそれに等しいとき、前記ＥＩＦＳ持続時間として選択され、
前記時間期間は、データシンボルの前記数が前記指定された数よりも大きいとき、前記ＤＩＦＳ持続時間として選択される、
Ｃ４に記載の方法。
［Ｃ６］
前記時間期間の後に前記他のデバイスにブロック確認応答フレームを送信することと、
前記ブロック確認応答フレームを送信した後に開始されたショートフレーム間スペース（ＳＩＦＳ）持続時間の後に、前記他のデバイスに単一の確認応答フレームを送信することと、
をさらに備える、Ｃ１に記載の方法。
［Ｃ７］
前記単一の確認応答フレームは、本送信レートで送信され、前記チャネルへのアクセスを前記ＥＩＦＳ持続時間だけ延期することを控えるように近くのワイヤレスデバイスに指示する、Ｃ６に記載の方法。
［Ｃ８］
１つまたは複数の復号エラーを含むアグリゲートされたデータの受信を確認するためのワイヤレスデバイスであって、
プロセッサと、
前記プロセッサによって実行されたとき、前記ワイヤレスデバイスに、
ワイヤレスチャネルを介して他のデバイスから受信されたアグリゲートされたデータフレームの送信持続時間を決定することと、
前記送信持続時間に少なくとも部分的に基づいて、拡張フレーム間スペース（ＥＩＦＳ）持続時間または分散協調機能（ＤＣＦ）フレーム間スペース（ＤＩＦＳ）持続時間のいずれかとして選択された時間期間の間、前記チャネルへのアクセスを延期することと、
を行わせる命令を記憶するメモリと、
を備える、ワイヤレスデバイス。
［Ｃ９］
前記命令の実行は、前記ワイヤレスデバイスに、
前記送信持続時間が指定された持続時間よりも小さいかまたはそれに等しいとき、前記時間期間を前記ＥＩＦＳ持続時間として選択することと、
前記送信持続時間が前記指定された持続時間よりも大きいとき、前記時間期間を前記ＤＩＦＳ持続時間として選択することと、
を行わせる、Ｃ８に記載のワイヤレスデバイス。
［Ｃ１０］
前記命令の実行は、
前記送信持続時間が指定された持続時間よりも小さいかまたはそれに等しいとき、前記ワイヤレスデバイスが前記ＥＩＦＳ持続時間を選択することを防ぐことと、
前記送信持続時間が前記指定された持続時間よりも大きいとき、前記ワイヤレスデバイスが前記ＥＩＦＳ持続時間を選択することを可能にすることと、
によって前記チャネルへのアクセスを延期する、Ｃ８に記載のワイヤレスデバイス。
［Ｃ１１］
前記送信持続時間は、前記アグリゲートされたデータフレームを前記ワイヤレスデバイスに送信するために使用されるデータシンボルの数を使用して決定される、Ｃ８に記載のワイヤレスデバイス。
［Ｃ１２］
前記命令の実行は、前記ワイヤレスデバイスに、
データシンボルの前記数が指定された数よりも小さいかまたはそれに等しいとき、前記時間期間を前記ＥＩＦＳ持続時間として選択することと、
データシンボルの前記数が前記指定された数よりも大きいとき、前記時間期間を前記ＤＩＦＳ持続時間として選択することと、
を行わせる、Ｃ１１に記載のワイヤレスデバイス。
［Ｃ１３］
前記命令の実行は、前記ワイヤレスデバイスに、
前記時間期間の後に前記他のデバイスにブロック確認応答フレームを送信することと、
前記ブロック確認応答フレームを送信した後に開始されたショートフレーム間スペース（ＳＩＦＳ）持続時間の後に、前記他のデバイスに単一の確認応答フレームを送信することと、
をさらに行わせる、Ｃ８に記載のワイヤレスデバイス。
［Ｃ１４］
前記単一の確認応答フレームは、基本送信レートで送信され、前記チャネルへのアクセスを前記ＥＩＦＳ持続時間だけ延期することを控えるように近くのワイヤレスデバイスに指示する、Ｃ１３に記載のワイヤレスデバイス。
［Ｃ１５］
ワイヤレスデバイスのプロセッサによって実行されたとき、前記ワイヤレスデバイスに、
ワイヤレスチャネルを介して他のデバイスから受信されたアグリゲートされたデータフレームの送信持続時間を決定することと、前記アグリゲートされたデータフレームは１つまたは複数の復号エラーを含み、
前記送信持続時間に少なくとも部分的に基づいて、拡張フレーム間スペース（ＥＩＦＳ）持続時間または分散協調機能（ＤＣＦ）フレーム間スペース（ＤＩＦＳ）持続時間のいずれかとして選択された時間期間の間、前記チャネルへのアクセスを延期することと、
を備える動作を実行させるプログラム命令を含む非一時的コンピュータ可読媒体。
［Ｃ１６］
前記チャネルへのアクセスを延期するための前記命令の実行は、前記ワイヤレスデバイスに、
前記送信持続時間が指定された持続時間よりも小さいかまたはそれに等しいとき、前記時間期間を前記ＥＩＦＳ持続時間として選択することと、
前記送信持続時間が前記指定された持続時間よりも大きいとき、前記時間期間を前記ＤＩＦＳ持続時間として選択することと、
を行わせる、Ｃ１５に記載の非一時的コンピュータ可読媒体。
［Ｃ１７］
前記チャネルへのアクセスを延期するための前記命令の実行は、前記ワイヤレスデバイスに、
前記送信持続時間が指定された持続時間よりも小さいかまたはそれに等しいとき、前記ワイヤレスデバイスが前記ＥＩＦＳ持続時間を選択することを防ぐことと、
前記送信持続時間が前記指定された持続時間よりも大きいとき、前記ワイヤレスデバイスが前記ＥＩＦＳ持続時間を選択することを可能にすることと、
を行わせる、Ｃ１５に記載の非一時的コンピュータ可読媒体。
［Ｃ１８］
前記送信持続時間は、前記アグリゲートされたデータフレームを前記ワイヤレスデバイスに送信するために使用されるデータシンボルの数を使用して決定される、Ｃ１５に記載の非一時的コンピュータ可読媒体。
［Ｃ１９］
前記命令の実行は、前記ワイヤレスデバイスに、
データシンボルの前記数が指定された数よりも小さいかまたはそれに等しいとき、前記時間期間を前記ＥＩＦＳ持続時間として選択することと、
データシンボルの前記数が前記指定された数よりも大きいとき、前記時間期間を前記ＤＩＦＳ持続時間として選択することと、
を行わせる、Ｃ１８に記載の非一時的コンピュータ可読媒体。
［Ｃ２０］
前記命令の実行は、前記ワイヤレスデバイスに、
前記時間期間の後に前記他のデバイスにブロック確認応答フレームを送信することと、
前記ブロック確認応答フレームを送信した後に開始されたショートフレーム間スペース（ＳＩＦＳ）持続時間の後に、前記他のデバイスに単一の確認応答フレームを送信することと
をさらに行わせる、Ｃ１５に記載の非一時的コンピュータ可読媒体。
［Ｃ２１］
前記単一の確認応答フレームは、基本送信レートで送信され、前記チャネルへのアクセスを前記ＥＩＦＳ持続時間だけ延期することを控えるように近くのワイヤレスデバイスに指示する、Ｃ２０に記載の非一時的コンピュータ可読媒体。
［Ｃ２２］
１つまたは複数の復号エラーを含むアグリゲートされたデータの受信を確認するためのワイヤレスデバイスであって、
ワイヤレスチャネルを介して他のデバイスから受信されたアグリゲートされたデータフレームの送信持続時間を決定するための手段と、
前記送信持続時間に少なくとも部分的に基づいて、拡張フレーム間スペース（ＥＩＦＳ）持続時間または分散協調機能（ＤＣＦ）フレーム間スペース（ＤＩＦＳ）持続時間のいずれかとして選択された時間期間の間、前記チャネルへのアクセスを延期するための手段と、
を備える、ワイヤレスデバイス。
［Ｃ２３］
前記時間期間は、前記送信持続時間が指定された持続時間よりも小さいかまたはそれに等しいとき、前記ＥＩＦＳ持続時間として選択され、
前記時間期間は、前記送信持続時間が前記指定された持続時間よりも大きいとき、前記ＤＩＦＳ持続時間として選択される、
Ｃ２２に記載のワイヤレスデバイス。
［Ｃ２４］
延期するための前記手段は、
前記送信持続時間が指定された持続時間よりも小さいかまたはそれに等しいとき、前記ワイヤレスデバイスが前記ＥＩＦＳ持続時間を選択することを防ぐことと、
前記送信持続時間が前記指定された持続時間よりも大きいとき、前記ワイヤレスデバイスが前記ＥＩＦＳ持続時間を選択することを可能にすることと、
を行う、Ｃ２２に記載のワイヤレスデバイス。
［Ｃ２５］
前記送信持続時間は、前記アグリゲートされたデータフレームを前記ワイヤレスデバイスに送信するために使用されるデータシンボルの数を使用して決定される、Ｃ２２に記載のワイヤレスデバイス。
［Ｃ２６］
前記時間期間は、データシンボルの前記数が指定された数よりも小さいかまたはそれに等しいとき、前記ＥＩＦＳ持続時間として選択され、
前記時間期間は、データシンボルの前記数が前記指定された数よりも大きいとき、前記ＤＩＦＳ持続時間として選択される、
Ｃ２５に記載のワイヤレスデバイス。
［Ｃ２７］
前記時間期間の後に前記他のデバイスにブロック確認応答フレームを送信するための手段と、
前記ブロック確認応答フレームを送信した後に開始されたショートフレーム間スペース（ＳＩＦＳ）持続時間の後に、前記他のデバイスに単一の確認応答フレームを送信するための手段と、
をさらに備える、Ｃ２３に記載のワイヤレスデバイス。
［Ｃ２８］
前記単一の確認応答フレームは、基本送信レートで送信され、前記チャネルへのアクセスを前記ＥＩＦＳ持続時間だけ延期することを控えるように近くのワイヤレスデバイスに指示する、Ｃ２７に記載のワイヤレスデバイス。